(57)【要約】      （修正有）【課題】開口の高さを高く保つとともに、施工が容易であり、かつ安全性を向上させた連動型引き戸を提供する。【解決手段】壁の開口に設けられる戸枠２と、開口の左右方向にスライド可能に吊り下げられる中戸３と、この中戸３を収容する隙間を備えるとともに中戸３と連動して開口の左右方向にスライド可能に吊り下げられる外戸４とを有しており、開口の上端に配置された上枠部２１には、長手方向の略中央線上に配置される中戸用レール７と、この中戸用レール７よりも背面側に配置される外戸用レールとが略同一高さに設けられており、外戸４における背面戸板の上端には外戸用レールに嵌め合わされる戸車が設けられ、中戸３の上端には中戸用レール７に嵌め合わされる戸車３１が設けられ、外戸４の前面戸板４２の上方には内戸３と外戸４とのスライド動作を連動させる連動手段６が配置されている。【選択図】図１
0003195087.tif 000002
【実用新案登録請求の範囲】
【請求項１】
壁の開口に設けられて左右方向に開閉される引き戸であって、
前記壁の開口に設けられる戸枠と、前記開口の左右方向にスライド可能に吊り下げられる中戸と、この中戸を収容する隙間を備えるために前面戸板および背面戸板が所定の間隔を隔てて設けられているとともに前記中戸と連動して前記開口の左右方向にスライド可能に吊り下げられる外戸とを有しており、
前記開口の上端に配置された上枠部には、長手方向の略中央線上に配置される中戸用レールと、この中戸用レールよりも背面側に配置される外戸用レールとが略同一高さに設けられており、
前記外戸における前記背面戸板の上端には前記外戸用レールに嵌め合わされる戸車が設けられ、前記中戸の上端には前記中戸用レールに嵌め合わされる戸車が設けられ、前記外戸の前記前面戸板の上方には前記中戸と前記外戸とのスライド動作を連動させる連動手段が配置されている、連動型引き戸。
【請求項２】
前記連動手段が、前記中戸の上方において前面側に向けてギアの歯が向くように設けられている中戸側ラックギアと、この中戸側ラックギアより前面側の前記上枠部において背面側に向けてギアの歯が向くように設けられている枠体側ラックギアと、前記外戸において垂直軸を中心として回転自在に設けられて前記中戸側ラックギアおよび前記枠体側ラックギアの両方に螺合する外戸側ピニオンギアとを有する、請求項１に記載の連動型引き戸。
【請求項３】
前記中戸の開口動作に対抗する弾性的な付勢力によって前記中戸を閉鎖方向に駆動させる駆動手段を備える、請求項１または請求項２に記載の連動型引き戸。
【請求項４】
前記中戸および前記外戸が、アルミニウムの型押し成型により形成されたフレームで構成されているとともに、このフレームの表面に化粧シートが貼り付けられている、請求項１から請求項３のいずれかに記載の連動型引き戸。
【請求項５】
前記中戸を閉めたときに前記中戸と当接する戸当たり枠には、壁に配置されている柱にビス留めされる横断面略コの字状の固定部が設けられている、請求項１から請求項４のいずれかに記載の連動型引き戸。
【請求項６】
前記開口の前側縁部および後側縁部には、角が面取りされた保護枠が設けられている請求項１から請求項５のいずれかに記載の連動型引き戸。
【考案の詳細な説明】
【技術分野】
【０００１】
本考案は、壁の開口に設けられて左右方向に開閉される引き戸であって、複数枚の戸のスライド動作を相互に連動させて開閉する連動型引き戸に関するものである。
【背景技術】
【０００２】
介護施設等においては、居住者が体調不良等により戸の前で倒れ込んでしまうと、戸が開かなくなるといった問題を未然に防止するため、通常、開き戸ではなく戸袋を用いた引き戸を採用している。
【０００３】
一方、戸袋を深くするために壁に設ける開口を大きくする必要があり、建物の強度上弱くなるなどの問題がある。そこで、戸袋はできるだけ浅くするため、戸を複数枚の扉体で構成し、これらを連動させて開閉させ、戸袋にコンパクトな状態で収納しうる連動型の引き戸が提案されている。
【０００４】
例えば、特開昭５７−５２４７３号公報では、壁の開口における上端部に上下２段にレールを設け、これらレールに２枚の引き戸を吊設し、各々の引き戸を連動させて開閉する連動引き戸が提案されている（特許文献１）。この特許文献１によれば、２枚の引き戸が重ねられて戸袋に収納されるため、広大な出入口幅を確保することができるとされている。
【先行技術文献】
【特許文献】
【０００５】
【特許文献１】特開昭５７−５２４７３号公報
【考案の概要】
【考案が解決しようとする課題】
【０００６】
しかしながら、特許文献１に記載された考案においては、各引き戸のレールを開口上端部に上下２段に配置しているため、構造上、鴨居の位置が低くなり、開口の高さが低くなるという問題がある。
【０００７】
また、連動型の引き戸は、戸が重く、戸を支える戸枠は壁等に溶接によって固定される必要がある。このため、施工に時間を要するという問題もある。
【０００８】
本考案は、このような問題点を解決するためになされたものであって、開口の高さを高く保つとともに、施工が容易であり、かつ安全性を向上させた連動型引き戸を提供することを目的としている。
【課題を解決するための手段】
【０００９】
本考案に係る連動型引き戸は、壁の開口に設けられて左右方向に開閉される引き戸であって、前記壁の開口に設けられる戸枠と、前記開口の左右方向にスライド可能に吊り下げられる中戸と、この中戸を収容する隙間を備えるために前面戸板および背面戸板が所定の間隔を隔てて設けられているとともに前記中戸と連動して前記開口の左右方向にスライド可能に吊り下げられる外戸とを有しており、前記開口の上端に配置された上枠部には、長手方向の略中央線上に配置される中戸用レールと、この中戸用レールよりも背面側に配置される外戸用レールとが略同一高さに設けられており、前記外戸における前記背面戸板の上端には前記外戸用レールに嵌め合わされる戸車が設けられ、前記中戸の上端には前記中戸用レールに嵌め合わされる戸車が設けられ、前記外戸の前記前面戸板の上方には前記内戸と前記外戸とのスライド動作を連動させる連動手段が配置されている。
【００１０】
また、本考案の一態様として、前記連動手段が、前記中戸の上方において前面側に向けてギアの歯が向くように設けられている中戸側ラックギアと、この中戸側ラックギアより前面側の前記上枠部において背面側に向けてギアの歯が向くように設けられている枠体側ラックギアと、前記外戸において垂直軸を中心として回転自在に設けられて前記中戸側ラックギアおよび前記枠体側ラックギアの両方に螺合する外戸側ピニオンギアとを有するようにしてもよい。
【００１１】
さらに、本考案の一態様として、前記中戸の開口動作に対抗する弾性的な付勢力によって前記中戸を閉鎖方向に駆動させる駆動手段を備えるようにしてもよい。
【００１２】
また、本考案の一態様として、前記中戸および前記外戸が、アルミニウムの型押し成型により形成されたフレームで構成されているとともに、このフレームの表面に化粧シートが貼り付けられているようにしてもよい。
【００１３】
さらに、本考案の一態様として、前記中戸を閉めたときに前記中戸と当接する戸当たり枠には、壁に配置されている柱にビス留めされる横断面略コの字状の固定部が設けられていてもよい。
【００１４】
さらにまた、本考案の一態様として、前記開口の前側縁部および後側縁部には、角が面取りされた保護枠が設けられていてもよい。
【考案の効果】
【００１５】
本考案によれば、開口の高さを高く保つとともに、施工が容易であり、かつ安全性を向上させることができる。
【図面の簡単な説明】
【００１６】
【図１】本考案に係る連動型引き戸の一実施形態を示す拡大斜視図である。
【図２】本実施形態の連動型引き戸を示す側面縦断面図である。
【図３】本実施形態の連動型引き戸を示す正面図である。
【図４】本実施形態の連動型引き戸を示す平面横断面図である。
【考案を実施するための形態】
【００１７】
以下、本考案に係る連動型引き戸の一実施形態について図面を用いて説明する。
【００１８】
本実施形態の連動型引き戸１は、図１および図２に示すように、壁の開口に設けられる戸枠２と、前記開口の左右方向にスライド可能に吊り下げられる中戸３と、この中戸３と連動して前記開口の左右方向にスライド可能に設けられる外戸４と、前記中戸３を弾性的な付勢力によって閉鎖方向に駆動させる駆動手段５と、前記中戸３と前記外戸４とのスライド動作を連動させる連動手段６とを有している。
【００１９】
戸枠２は、図３および図４に示すように、壁に設けられた開口の周囲に設けられるものであり、主として、前記開口の上端に配置された上枠部２１と、前記開口において中戸３を閉めたとき前記中戸３が当接する戸当たり枠部２２と、前記開口の開口時において外戸４を収容する戸袋枠部２３とを有する。
【００２０】
上枠部２１は、図２に示すように、中戸３をスライド可能に支持する中戸用レール７と、外戸４をスライド可能に支持する外戸用レール８とを有している。また、上枠部２１は、前記開口の出入り口のいずれか一方の板材２４が設置後に取り外し可能に構成されており、各レール７，８や各戸に設けられた戸車３１，４１等を整備できるようになっている。なお、上枠部２１の素材は金属製や樹脂製、木製等、適宜選択することが可能であるが、本実施形態ではアルミニウムの押し出し成形により形成されている。
【００２１】
中戸用レール７は、中戸３に設けられた戸車３１に嵌め合わせられる１本のレールであり、図２に示すように、上方に向けて突出した中戸用レール７が長手方向の略中央線上に配置されている。また、外戸用レール８は、外戸４に設けられた戸車４１に嵌め合わせられる１本のレールであり、中戸用レール８よりも背面側に配置されている。外戸用レール８と中戸用レール７とは、２段に設けられるのではなく、略同一高さに設けられている。
【００２２】
戸当たり枠部２２は、開口の左右いずれかの側部に設けられており、図４に示すように、中戸３と当接する戸当たり部分には緩衝材２５が設けられている。また、戸当たり枠部２２の壁側には、壁に設けられている柱にビス留めで固定するための横断面が略コの字型に形成された固定部２６を有している。
【００２３】
戸袋枠部２３は、戸当たり枠部２２が設けられた側部とは反対側の側部に設けられており、アルミニウム製板材や木製合板材を組み合わせて外戸４を収容する隙間を有するように形成されている。また、図２に示すように、戸袋枠部２３の下端には、外戸４の前面戸板４２および背面戸板４３の下端に設けられたローラー溝４４を支持する２本のガイドローラー２７が設けられている。
【００２４】
また、開口の前側縁部および後側縁部には、図２および図４に示すように、角が面取りされた保護枠２８が設けられており、衝突による怪我等を負わないように保護されている。
【００２５】
次に、本実施形態における中戸３について説明する。中戸３は、主に、アルミニウムの押し出し成形により形成されたフレームと、このフレームの表面に貼り付けられた化粧シートとから構成されており、アルミニウムによる軽さおよび高い強度を兼ね備えるとともに、化粧シートによる装飾性が加えられている。
【００２６】
中戸３の上端には、図２に示すように、中戸用レール７の上に嵌め合わされる戸車３１が回転自在に設けられている。また、中戸３の下端には、外戸４に設けられたガイドローラー４５を嵌め合わせるためのローラー溝３２が設けられている。
【００２７】
また、本実施形態における中戸３は、図３に示すように、左右方向にスライドさせる際に持ち手となる取っ手３３や採光等のためのガラス窓３４等が設けられている。
【００２８】
外戸４は、前面戸板４２と背面戸板４３の二枚の戸板を所定の間隔を隔てて連結されてなる。本実施形態における外戸４は、図４に示すように、前面戸板４２および背面戸板４３の一側端部を連結具４６で連結し、横断面がコの字状となるように形成されている。前面戸板４２と背面戸板４３との間の隙間は中戸３を収容する隙間であり、前記中戸３のいわゆる戸袋となるように形成されている。
【００２９】
背面戸板４３の上端には、中戸用レール７よりも背面側に配置された外戸用レール８に嵌め合わされる戸車４１が回転自在に設けられている。また、背面戸板４３の下方には中戸３のローラー溝３２に嵌め合わせるためのガイドローラー４５が設けられている。
【００３０】
さらに、前記前面戸板４２および前記背面戸板４３の下端には、戸袋枠部２３に設けられたガイドローラー２７に嵌め合わせるためのローラー溝４４が設けられている。
【００３１】
本実施形態における外戸４の前面戸板４２と背面戸板４３は、主に、中戸３と同様、アルミニウムの押し出し成形により形成されたフレームと、このフレームの表面に貼り付けられた化粧シートとから構成されている。
【００３２】
駆動手段５は、付勢力を発揮する付勢部材５１を有しており、中戸３の開口動作に対向する弾性的な付勢力によって前記中戸３を閉鎖状態へと駆動させるものである。本実施形態では、図１に示すように、上枠部２２の戸当たり側に付勢部材５１としてのゼンマイが設けられており、このゼンマイと前記中戸３とをワイヤー５２で接続することで構成されている。
【００３３】
次に、連動手段６について説明する。連動手段６は、図１に示すように、中戸用レール７より前面側で、外戸４の前面戸板４２の上方に配置されている。これにより、中戸用レール７、外戸用レール８および連動手段６が略同一高さに設けられるため、上枠部２１の高さを低く抑えることができる。
【００３４】
本実施形態における連動手段６の中戸３側に設けられる中戸側ラックギア６１と、枠体２側に設けられる枠体側ラックギア６２と、外戸４に設けられて各ラックギア６１，６２に螺合する外戸側ピニオンギア６３とからなる。
【００３５】
中戸側ラックギア６１は、市販のラックギアであり、本実施形態では樹脂製のラックギアを用いている。この中戸側ラックギア６１は、中戸３の上方において前面側に向けてギアの歯が向くように、前記開口の左右方向に沿って前記中戸３の左右幅全体に渡って設けられている。
【００３６】
枠体側ラックギア６２は、中戸側ラックギア６１と同様、市販のラックギアであり、本実施形態では、樹脂製のラックギアを用いている。また、枠体側ラックギア６２は、中戸側ラックギア６１より前面側の前記上枠部２１において背面側に向けてギアの歯が向くように、戸当たり枠部２２から戸袋枠部２３にかけて略全体に設けられている。
【００３７】
また、本実施形態では、枠体側ラックギア６２と中戸側ラックギア６１とは、同じピッチ幅のラックギアを用いており、後述するとおり、中戸３の移動距離が外戸４の移動距離の２倍となるように設定されている。
【００３８】
外戸側ピニオンギア６３は、市販のピニオンギアであり、本実施形態では、樹脂製のピニオンギアを用いている。また、外戸側ピニオンギア６３は、外周に中戸側ラックギア６１および枠体側ラックギア６２に螺合可能なギアが形成されている。前記外戸側ピニオンギア６３は、略水平方向に向けられて外戸４に回転自在に設けられており、中戸側ラックギア６１および枠体側ラックギア６２と螺合するようになっている。
【００３９】
なお、本実施形態では、中戸側ラックギア６１および枠体側ラックギア６２におけるギアを同じピッチ幅に形成することにより、後述のとおり、中戸３の移動距離が外戸４の移動距離の２倍となるように設定されているように構成しているが、各ラックギア６１，６２のピッチ幅を変えることににより移動距離の比を任意に変更することができる。
【００４０】
次に、本実施形態の連動型引き戸１における各構成の作用について説明する。
【００４１】
連動型引き戸１が閉められている状態から開ける場合は、取っ手３３等を用いて中戸３を戸袋枠部２３側へスライドさせる。このとき中戸３の上方に設けた戸車３１が回転しながら中戸用レール７上を移動し、中戸３は中戸用レール７に沿って開口する右方向にスライドする。
【００４２】
また、本実施形態では、中戸３の下端に設けたローラー溝３２が外戸４に設けたガイドローラー４５に嵌め合わされているため、中戸３の前面側や背面側への揺れが抑制されスムーズに開口する。
【００４３】
連動手段６では、中戸３の上方に設けられた中戸側ラックギア６１が外戸４に設けられた外戸側ピニオンギア６３を回転させる。この外戸側ピニオンギア６３は、戸枠２に固定されている枠体側ラックギア６２に螺合しているため、中戸３のスライド方向と同方向に螺進する。外戸４は、螺進する外戸側ピニオンギア６３に引っ張られるようにして外戸用レール８に沿ってスライドする。本実施形態における中戸側ラックギア６１および枠体側ラックギア６２のピッチ幅が同じピッチ幅で形成されていることから、中戸３の移動距離は外戸４の移動距離の２倍となる。
【００４４】
また、開口動作時において、中戸３は外戸４における前面戸板４２および背面戸板４３の隙間に収容される。同様に、外戸４は全体が戸袋枠部２３内に収容される。よって、居住者等が体調不良等により戸側に倒れ込んだとしても中戸３および外戸４は開口動作を続けることができる。よって、本実施形態の連動型引き戸１が、上記不測の事態に開かなくなることはない。
【００４５】
駆動手段５では、駆動部材５１が中戸３の開口動作に対向する弾性的な付勢力を生じさせる。そのため、居住者等が、中戸３を開口動作の途中で手を放すと、前記付勢力により中戸を閉鎖方向に駆動させる。
【００４６】
中戸３が閉鎖方向へスライドされた場合、中戸側ラックギア６１は、外戸側ピニオンギア６３を開口時とは逆方向に回転させる。回転する外戸側ピニオンギア６３は、戸枠２に固定されている枠体側ラックギア６２に螺合しているため、中戸３のスライド方向と同じ方向、つまり閉鎖方向に螺進する。このときの、開口時と同様、外戸４の移動距離に対して中戸３の移動距離が２倍となり、壁の開口全体を閉鎖することができる。
【００４７】
また、本実施形態における中戸３や外戸４は、軽量に形成されており、スライド動作も回転する戸車３１，４１で行われるため、軽い動作で開閉を行うことができるとともに、固定部２６等を用いて戸枠２をビス留めによって壁の柱に固定可能となる。
【００４８】
以上のような本実施形態の連動型引き戸１によれば、以下の効果を得ることができる。
１．安全にかつ確実に開口の開閉を行うことができるため、介護現場においても安心して使用することができる。
２．中戸用レール７、外戸用レール８および連動手段６を略同一高さに設けたことにより、鴨居の高さを低く抑えることができる。
３．中戸３と外戸４を連動させ、それぞれ前面戸板４２と背面戸板４３との隙間や戸袋枠部２３に収容させたことにより、大きな開口を確保することができる。
４．戸枠２をビス留めにより固定できるので、施工を容易にすることができる。
【００４９】
なお、本考案に係る連動型引き戸は、前述した一実施形態に限定されるものではなく、適宜変更することができる。例えば、図示しないが、全開時に連動型引き戸１を開口状態でロックさせる、ロック機能を設けてもよい。また、外戸４を収容可能な第２、第３の外戸を設けることで、３枚以上の戸を連動させるようにしてもよい。
【符号の説明】
【００５０】
１  連動型引き戸
２  戸枠
３  中戸
４  外戸
５  駆動手段
６  連動手段
７  中戸用レール
８  外戸用レール
２１  上枠部
２２  戸当たり枠部
２３  戸袋枠部
２４  板材
２５  緩衝材
２６  固定部
２７  ガイドローラー
２８  保護枠
３１  戸車
３２  ローラー溝
３３  取っ手
３４  ガラス窓
４１  戸車
４２  前面戸板
４３  背面戸板
４４  ローラー溝
４５  ガイドローラー
４６  連結具
５１  付勢部材
５２  ワイヤー
６１  中戸側ラックギア
６２  枠体側ラックギア
６３  外戸側ピニオンギア
【図１】
0003195087.tif 000003
【図２】
0003195087.tif 000004
【図３】
0003195087.tif 000005
【図４】
0003195087.tif 000006